(57)【要約】【課題】主に自動車内の各種電子機器の操作に用いられるスイッチ装置に関し、固定操作体のがたつきがなく、容易に製作が可能なものを提供することを目的とする。【解決手段】固定操作体１７下面の突起部１７Ｃをケース１１の保持部１１Ｃ上面に当接させると共に、固定操作体１７中央の支持部１７Ａ下端に、保持部１１Ｃ下面に当接する係止部１７Ｄを設けることで、塑性変形してケース１１の保持部１１Ｃ上面に当接した突起部１７Ｃと、保持部１１Ｃ下面に当接した係止部１７Ｄによって、固定操作体１７をケース１１にがたつきなく装着できると共に、特別な治工具等を必要とせず、容易に製作を行うことができる。【選択図】図１
2012169101.tif 000002
【特許請求の範囲】
【請求項１】
スイッチ接点の電気的接離を行う可動操作体の支持部が、保持部に揺動可能に装着される複数の取付孔が形成されたケースと、このケースの取付孔に装着された固定操作体からなり、上記固定操作体下面の突起部を上記ケースの保持部上面に当接させると共に、上記固定操作体中央の支持部下端に、上記保持部下面に当接する係止部を設けたスイッチ装置。
【発明の詳細な説明】
【技術分野】
【０００１】
本発明は、主に自動車の車室内の各種電子機器の操作に用いられるスイッチ装置に関するものである。
【背景技術】
【０００２】
近年、自動車内のフロントパネル部やステアリングホイール近傍に様々な操作方式のスイッチ装置を装着し、これによって車室内の音響機器や空調機器等の各種電子機器の操作を行うものが増えている。
【０００３】
このような従来のスイッチ装置について、図４〜図６を用いて説明する。
【０００４】
図４は従来のスイッチ装置の断面図、図５は同分解斜視図であり、同図において、１は下面開口で略箱状の絶縁樹脂製のケースで、上面には略矩形状の複数の取付孔１Ａが形成されると共に、この取付孔１Ａの左右の内側壁には略コの字状に折曲形成され、取付孔１Ａ内に突出する一対の軸部１Ｂが設けられた保持部１Ｃが形成されている。
【０００５】
そして、２は略箱状で絶縁樹脂製の可動操作体で、左右側面の中央には下方へ突出する略舌片状の一対の支持部２Ａが設けられると共に、この支持部２Ａに形成された軸孔２Ｂ内に軸部１Ｂが回転可能に挿入されて、可動操作体２がケース１右方の取付孔１Ａ内に揺動可能に装着されている。
【０００６】
また、３は上下面に複数の配線パターン（図示せず）が形成された配線基板、４はプッシュスイッチで、配線基板３上面に複数のプッシュスイッチ４が前後方向に実装装着されて、複数のスイッチ接点が形成されると共に、プッシュスイッチ４側方には発光ダイオード等の複数の発光素子５が、上方の可動操作体２下面に発光部を向けて実装装着されている。
【０００７】
さらに、６は絶縁樹脂製の可動ピンで、複数の可動ピン６が取付孔１Ａ下方に上下動可能に装着されると共に、可動ピン６下端がプッシュスイッチ４上面から上方へ突出した操作軸４Ａ上端に、可動ピン６上端が可動操作体２下面から下方へ突出した押圧部２Ｃ下端に各々当接している。
【０００８】
そして、７は略箱状で絶縁樹脂製の固定操作体で、左右側面の中央には下方へ突出する略舌片状の一対の支持部７Ａが設けられると共に、この支持部７Ａに形成された軸孔７Ｂ内に、ケース１の軸部１Ｂが挿入されている。
【０００９】
さらに、固定操作体７下面の前後左右には下方へ突出する四つの突起部７Ｃが形成されると共に、この突起部７Ｃ下端がケース１の保持部１Ｃ上面に当接して、固定操作体７がケース１左方の取付孔１Ａ内に固定装着されている。
【００１０】
また、８は絶縁樹脂製のカバーで、このカバー８がケース１に固着され、ケース１の下面開口部を覆って、スイッチ装置が構成されている。
【００１１】
そして、このように構成されたスイッチ装置が、可動操作体２や固定操作体７を手前にして、自動車のフロントパネル部やステアリングホイール近傍等に装着されると共に、複数のプッシュスイッチ４や発光素子５が配線基板３の配線パターンや、コネクタやリード線（図示せず）等を介して、車両の電子回路（図示せず）に電気的に接続される。
【００１２】
以上の構成において、可動操作体２上面の前端または後端を押圧操作すると、ケース１の軸部１Ｂが挿入された軸孔２Ｂを支点として、可動操作体２が前方または後方へ揺動し、下面の押圧部２Ｃに押圧された可動ピン６が下方へ移動して、操作軸４Ａが押圧され、前方または後方のプッシュスイッチ４の電気的接離が行われる。
【００１３】
そして、このようなプッシュスイッチ４の電気的接離を車両の電子回路が検出し、これに応じて電子回路が、自動車に搭載された様々な機器の制御を行い、例えばオーディオ機器の音量や、エアコンの温度の増減等の制御が行われる。
【００１４】
また、夜間等の周囲が暗い場合には、別途ステアリングホイール近傍に装着されたコンビネーションスイッチ（図示せず）等を操作すると、この電気的接離を車両の電子回路が検出して、発光素子５を発光させる。
【００１５】
そして、この発光素子５の光がケース１の取付孔１Ａ内を上方へ進み、下面から可動操作体２内に入射して、可動操作体２上面の表示部（図示せず）が照光されることによって、可動操作体２の識別や位置の確認が容易に行えるようになっている。
【００１６】
つまり、車室内に装着されたスイッチ装置右方の、可動操作体２を揺動操作することによって、車室内の各種電子機器の操作が行えると共に、発光素子５を発光させ、可動操作体２上面を照光することによって、周囲が暗い場合でも、可動操作体２の操作を容易に行えるように構成されている。
【００１７】
なお、このようなスイッチ装置においては、装着される車両の種類や搭載される電子機器の数によって、上面の表示の異なる複数の可動操作体２、例えば二つあるいは三つの可動操作体２で複数の電子機器の操作を行うものもあれば、一つの可動操作体２、例えば上記のようにケース１右方の可動操作体２のみを揺動可能に設けたものもある。
【００１８】
このため、例えば二つの可動操作体２によって操作を行う必要がある場合には、ケース１左方の取付孔１Ａにも可動操作体２を揺動可能に装着すると共に、この下方にもプッシュスイッチ４や発光素子５を設けてスイッチ装置を形成し、一つの可動操作体２のみでよい場合には、上記のようにケース１右方にのみ可動操作体２を設け、不要なケース１左方の取付孔１Ａには、塵埃等の侵入を防ぐために固定操作体７を固定装着して、スイッチ装置を形成することが行われている。
【００１９】
すなわち、ケース１の複数の取付孔１Ａに、操作が必要な場合には可動操作体２を揺動可能に装着し、不要な場合には固定操作体７を固定装着することによって、ケース１や配線基板３、カバー８等の他の構成部品の共用化を図ることが可能なようになっている。
【００２０】
また、このような可動操作体２をケース１に装着する際には、左右一対の支持部２Ａを内方へやや撓めながら、上方から可動操作体２を取付孔１Ａ内に挿入し、軸孔２Ｂ内に軸部１Ｂを挿入することで、取付孔１Ａ内に可動操作体２が揺動可能に装着される。
【００２１】
これに対し、固定操作体７をケース１に装着する場合には、図６（ａ）の部分断面図に示すように、同様に左右一対の支持部７Ａを内方へやや撓めながら、上方から固定操作体７を取付孔１Ａ内に挿入し、軸孔７Ｂ内に軸部１Ｂを挿入すると共に、下面の四つの突起部７Ｃを保持部１Ｃ上面に当接させることで、固定操作体７が取付孔１Ａ内に固定装着される。
【００２２】
つまり、下面の四つの突起部７Ｃ下端を保持部１Ｃ上面に当接させると共に、軸孔７Ｂ下面に軸部１Ｂ下面を当接させることによって、固定操作体７が取付孔１Ａ内に、上下方向のがたつきがなく保持されるように構成されている。
【００２３】
ただ、この固定操作体７を取付孔１Ａに装着する際や、装着した後に、図６（ｂ）に示すように、固定操作体７上面に強い力が加わり、これによって下面の突起部７Ｃがつぶれ塑性変形してしまった場合、図６（ｃ）に示すように、軸孔７Ｂと軸部１Ｂの隙間寸法Ｌ分の、固定操作体７の上下方向のがたつきが生じてしまう。
【００２４】
このため、固定操作体７をケース１に装着する際には、所定の治工具等によって固定操作体７の上下方向を位置決めし、突起部７Ｃの塑性変形が生じないようにして、組立てが行われているものであった。
【００２５】
なお、この出願の発明に関連する先行技術文献情報としては、例えば、特許文献１が知られている。
【先行技術文献】
【特許文献】
【００２６】
【特許文献１】特開２００９−３２５３６号公報
【発明の概要】
【発明が解決しようとする課題】
【００２７】
しかしながら、上記従来のスイッチ装置においては、固定操作体７をケース１に装着する際、固定操作体７のがたつきを防ぐために、突起部７Ｃの塑性変形が生じないようにして組立てを行う必要があるため、製作に手間がかかってしまうという課題があった。
【００２８】
本発明は、このような従来の課題を解決するものであり、固定操作体のがたつきがなく、容易に製作が可能なスイッチ装置を提供することを目的とする。
【課題を解決するための手段】
【００２９】
上記目的を達成するために本発明は、固定操作体下面の突起部をケースの保持部上面に当接させると共に、固定操作体中央の支持部下端に、保持部下面に当接する係止部を設けてスイッチ装置を構成したものであり、塑性変形してケースの保持部上面に当接した突起部と、保持部下面に当接した係止部によって、固定操作体をケースにがたつきなく装着できると共に、特別な治工具等を必要とせず、容易に製作を行うことができるという作用を有するものである。
【発明の効果】
【００３０】
以上のように本発明によれば、固定操作体のがたつきがなく、容易に製作が可能なスイッチ装置を実現することができるという有利な効果が得られる。
【図面の簡単な説明】
【００３１】
【図１】本発明の一実施の形態によるスイッチ装置の断面図
【図２】同分解斜視図
【図３】同部分断面図
【図４】従来のスイッチ装置の断面図
【図５】同分解斜視図
【図６】同部分断面図
【発明を実施するための形態】
【００３２】
以下、本発明の実施の形態について、図１〜図３を用いて説明する。
【００３３】
なお、背景技術の項で説明した構成と同一構成の部分には同一符号を付して、詳細な説明を簡略化する。
【００３４】
（実施の形態）
図１は本発明の一実施の形態によるスイッチ装置の断面図、図２は同分解斜視図であり、同図において、１１は下面開口で略箱状のポリカーボネートやポリオキシメチレン等の絶縁樹脂製のケースで、上面には略矩形状の複数の取付孔１１Ａが形成されると共に、この取付孔１１Ａの左右の内側壁には略コの字状に折曲形成され、取付孔１１Ａ内に突出する一対の軸部１１Ｂが設けられた保持部１１Ｃが形成されている。
【００３５】
そして、２は略箱状でポリカーボネートやＡＢＳ等の絶縁樹脂製の可動操作体で、左右側面の中央には下方へ突出する略舌片状の一対の支持部２Ａが設けられると共に、この支持部２Ａに形成された軸孔２Ｂ内に軸部１１Ｂが回転可能に挿入されて、可動操作体２がケース１１右方の取付孔１１Ａ内に揺動可能に装着されている。
【００３６】
また、３は紙フェノールやガラス入りエポキシ等の配線基板、４はプッシュスイッチで、配線基板３の上下面には銅箔等によって複数の配線パターン（図示せず）が形成されると共に、配線基板３上面に複数のプッシュスイッチ４が前後方向に実装装着されて、複数のスイッチ接点が形成され、プッシュスイッチ４側方には発光ダイオード等の複数の発光素子５が、上方の可動操作体２下面に発光部を向けて実装装着されている。
【００３７】
さらに、６はポリオキシメチレン等の絶縁樹脂製の可動ピンで、複数の可動ピン６が取付孔１１Ａ下方に上下動可能に装着されると共に、可動ピン６下端がプッシュスイッチ４上面から上方へ突出した操作軸４Ａ上端に、可動ピン６上端が可動操作体２下面から下方へ突出した押圧部２Ｃ下端に各々当接している。
【００３８】
また、１７は略箱状でポリカーボネートやＡＢＳ等の絶縁樹脂製の固定操作体で、左右側面の中央には下方へ突出する略舌片状の一対の支持部１７Ａが設けられると共に、この支持部１７Ａに形成された軸孔１７Ｂ内に、ケース１１の軸部１１Ｂが挿入されている。
【００３９】
そして、固定操作体１７下面の前後左右には下方へ突出する四つの突起部１７Ｃが形成されると共に、この塑性変形した突起部１７Ｃ下端がケース１１の保持部１１Ｃ上面に当接している。
【００４０】
さらに、固定操作体１７中央の支持部１７Ａ下端には、外方へ傾斜して突出する略鉤状の一対の係止部１７Ｄが形成されると共に、保持部１１Ｃ下面には傾斜した係合部１１Ｄが設けられ、この係合部１１Ｄに係止部１７Ｄが当接して、固定操作体１７がケース１１左方の取付孔１１Ａ内に固定装着されている。
【００４１】
また、８はポリブチレンテレフタレート等の絶縁樹脂製のカバーで、このカバー８がケース１１に固着され、ケース１１の下面開口部を覆って、スイッチ装置が構成されている。
【００４２】
なお、上記のようにケース１１左方の取付孔１１Ａ内に固定操作体１７を装着するには、図３（ａ）の部分断面図に示すように、先ず、左右一対の支持部１７Ａを内方へやや撓めながら、上方から固定操作体１７を取付孔１１Ａ内に挿入し、軸孔１７Ｂ内に軸部１１Ｂを挿入して、取付孔１１Ａ内に固定操作体１７を仮保持する。
【００４３】
そして、この軸孔１７Ｂ下面が軸部１１Ｂ下面に当接し、四つの突起部１７Ｃ下端が保持部１１Ｃ上面に当接した状態から、図３（ｂ）に示すように、軸孔１７Ｂ上面が軸部１１Ｂ上面に当たるまで、固定操作体１７上面を所定の力で下方へ押圧して、保持部１１Ｃ上面に当接した下面の四つの突起部１７Ｃをつぶして塑性変形させると共に、係止部１７Ｄを係合部１１Ｄに当接させる。
【００４４】
これによって、図３（ｃ）に示すように、塑性変形した突起部１７Ｃ下端がケース１１の保持部１１Ｃ上面に当接すると共に、左右一対の軸孔１７Ｂ上面が軸部１１Ｂ上面に、同じく左右一対の係止部１７Ｄが保持部１１Ｃ下面の係合部１１Ｄに各々当接して、固定操作体１７が取付孔１１Ａ内にがたつきのない状態で保持される。
【００４５】
そして、このように構成されたスイッチ装置が、可動操作体２や固定操作体１７を手前にして、自動車のフロントパネル部やステアリングホイール近傍等に装着されると共に、複数のプッシュスイッチ４や発光素子５が配線基板３の配線パターンや、コネクタやリード線（図示せず）等を介して、車両の電子回路（図示せず）に電気的に接続される。
【００４６】
以上の構成において、可動操作体２上面の前端または後端を押圧操作すると、ケース１１の軸部１１Ｂが挿入された軸孔２Ｂを支点として、可動操作体２が前方または後方へ揺動し、下面の押圧部２Ｃに押圧された可動ピン６が下方へ移動して、操作軸４Ａが押圧され、前方または後方のプッシュスイッチ４の電気的接離が行われる。
【００４７】
そして、このようなプッシュスイッチ４の電気的接離を車両の電子回路が検出し、これに応じて電子回路が、自動車に搭載された様々な機器の制御を行い、例えばオーディオ機器の音量や、エアコンの温度の増減等の制御が行われる。
【００４８】
また、夜間等の周囲が暗い場合には、別途ステアリングホイール近傍に装着されたコンビネーションスイッチ（図示せず）等を操作すると、この電気的接離を車両の電子回路が検出して、発光素子５を発光させる。
【００４９】
そして、この発光素子５の光がケース１１の取付孔１１Ａ内を上方へ進み、下面から可動操作体２内に入射して、可動操作体２上面の表示部（図示せず）が照光されることによって、可動操作体２の識別や位置の確認が容易に行えるようになっている。
【００５０】
つまり、車室内に装着されたスイッチ装置右方の、可動操作体２を揺動操作することによって、車室内の各種電子機器の操作が行えると共に、発光素子５を発光させ、可動操作体２上面を照光することによって、周囲が暗い場合でも、可動操作体２の操作を容易に行えるように構成されている。
【００５１】
また、このようなスイッチ装置においては、装着される車両の種類や搭載される電子機器の数によって、上面の表示の異なる複数の可動操作体２、例えば二つあるいは三つの可動操作体２で複数の電子機器の操作を行うものもあれば、一つの可動操作体２、例えば上記のようにケース１１右方の可動操作体２のみを揺動可能に設けたものもあるが、この時、本発明においては、特別な治工具等を用いなくとも、不要なケース１１左方の取付孔１１Ａに、固定操作体１７をがたつきなく固定装着できるようになっている。
【００５２】
すなわち、ケース１１左方の取付孔１１Ａ内に固定操作体１７を装着する際に、上述したように固定操作体１７を下方へ押圧して、下面の四つの突起部１７Ｃを塑性変形させ、この塑性変形した突起部１７Ｃ下端を保持部１１Ｃ上面に当接させると共に、支持部１７Ａ下端の係止部１７Ｄを、保持部１１Ｃ下面の係合部１１Ｄに当接させ、保持部１１Ｃの上下面を突起部１７Ｃと係止部１７Ｄで挟むように形成することで、固定操作体１７をケース１１にがたつきなく保持できるように構成されている。
【００５３】
さらに、この時、固定操作体１７の下方への移動量は、軸孔１７Ｂ上面が軸部１１Ｂ上面に当たるまでの、軸孔１７Ｂと軸部１１Ｂの隙間寸法分となるため、これによって四つの突起部１７Ｃの塑性変形する寸法が均等になると共に、突起部１７Ｃが塑性変形した後は、この当接した軸孔１７Ｂ上面と軸部１１Ｂ上面によっても、固定操作体１７の上下方向の位置決めが行われるようになっている。
【００５４】
つまり、取付孔１１Ａ内への装着時に塑性変形した突起部１７Ｃ下端が保持部１１Ｃ上面に、支持部１７Ａ下端の係止部１７Ｄが保持部１１Ｃ下面の係合部１１Ｄに、軸孔１７Ｂ上面が軸部１１Ｂ上面に各々当接するように形成することによって、特別な治工具等を用いずに、固定操作体１７を取付孔１１Ａに所定の力で挿入するだけで、固定操作体１７がケース１１にがたつきなく固定装着されるように構成されている。
【００５５】
なお、以上の説明では、ケース１１上面に二つの取付孔１１Ａを設け、右方の取付孔１１Ａ内に可動操作体２を揺動可能に装着すると共に、左方の取付孔１１Ａ内に固定操作体１７を固定装着した構成について説明したが、三つまたはこれ以上の数の取付孔１１Ａをケース１１に設け、これらに可動操作体２や固定操作体１７を各々装着した構成や、あるいは、これら全ての取付孔１１Ａに固定操作体１７を固定装着した構成としても、本発明の実施は可能である。
【００５６】
また、以上の説明では、配線基板３上面に複数のプッシュスイッチ４を実装装着して、複数のスイッチ接点を形成した構成について説明したが、配線基板３上面にカーボン等によって固定接点を形成し、この上に略ドーム状で導電金属薄板製の可動接点を載置した構成や、あるいは下面に可動接点が形成された略ドーム状で可撓性のゴムシートを載置したもの等、様々なスイッチ接点を用いた構成としても、本発明の実施は可能である。
【００５７】
このように本実施の形態によれば、固定操作体１７下面の突起部１７Ｃをケース１１の保持部１１Ｃ上面に当接させると共に、固定操作体１７中央の支持部１７Ａ下端に、保持部１１Ｃ下面に当接する係止部１７Ｄを設けることで、塑性変形してケース１１の保持部１１Ｃ上面に当接した突起部１７Ｃと、保持部１１Ｃ下面に当接した係止部１７Ｄによって、固定操作体１７をケース１１にがたつきなく装着できると共に、特別な治工具等を必要とせず、容易に製作を行うことができるものである。
【産業上の利用可能性】
【００５８】
本発明によるスイッチ装置は、固定操作体のがたつきがなく、容易に製作が可能なものを得ることができるという有利な効果を有し、主に自動車の各種電子機器の操作用として有用である。
【符号の説明】
【００５９】
２  可動操作体
２Ａ  支持部
２Ｂ  軸孔
２Ｃ  押圧部
３  配線基板
４  プッシュスイッチ
４Ａ  操作軸
５  発光素子
６  可動ピン
８  カバー
１１  ケース
１１Ａ  取付孔
１１Ｂ  軸部
１１Ｃ  保持部
１１Ｄ  係合部
１７  固定操作体
１７Ａ  支持部
１７Ｂ  軸孔
１７Ｃ  突起部
１７Ｄ  係止部
【図１】
2012169101.tif 000003
【図２】
2012169101.tif 000004
【図３】
2012169101.tif 000005
【図４】
2012169101.tif 000006
【図５】
2012169101.tif 000007
【図６】
2012169101.tif 000008